(57)【特許請求の範囲】
【請求項１】
媒体に液体を吐出する吐出部を有し、往復移動方向に移動可能なキャリッジと、
前記キャリッジの移動領域を覆う筐体と、
前記キャリッジの前記往復移動によって生じる気流を受け入れる気流受入室と、
を備え、
前記気流受入室は、前記液体が前記吐出部から吐出されることに伴い発生するミストを捕捉可能な捕捉部を有し、
前記捕捉部は、一部が前記気流受入室内部に固定され、前記気流により姿勢を変更可能な可撓性のフィルターであり、
前記フィルターを複数備え、
前記フィルターは、前記気流受入室における前記往復移動方向の両端部分に設けられていることを特徴とする液体吐出装置。
【請求項２】
請求項１に記載の液体吐出装置において、
前記フィルターは、前記気流受入室における前記往復移動方向に沿って複数設けられており、前記往復移動方向の中央部分に設けられるフィルターの方が前記往復移動方向の両端部分に設けられるフィルターよりも高密度であることを特徴とする液体吐出装置。
【請求項３】
請求項１または２に記載の液体吐出装置において、
前記気流受入室は、前記往復移動方向に延設され、該往復移動方向の両端に前記気流の受入口を有することを特徴とする液体吐出装置。
【請求項４】
請求項１から３のいずれか１項に記載の液体吐出装置において、
前記気流受入室は、排気可能に構成されていることを特徴とする液体吐出装置。
【請求項５】
請求項１から４のいずれか１項に記載の液体吐出装置において、
前記気流受入室は、逆流防止部を有することを特徴とする液体吐出装置。
【請求項６】
請求項５に記載の液体吐出装置において、
前記キャリッジの前記往復移動における移動領域に、前記気流受入室とは別の経路から、気流を流入可能な気流流入部を備えることを特徴とする液体吐出装置。
【発明の詳細な説明】
【技術分野】
【０００１】
本発明は、液体吐出装置に関する。
【背景技術】
【０００２】
従来から、被記録媒体などの媒体にインクなどの液体を吐出する液体吐出装置が開示されている。このような液体吐出装置においては、該液体のミストが該液体の吐出部などに付着して溜まり、そのミストが媒体に垂れて媒体を汚してしまう場合があった。このため、ミストが液体の吐出部などに付着することを抑制する技術が開示されている。  
例えば、特許文献１及び２には、インクを吐出部から吐出することに伴って発生するインクのミストを回収する回収部を備えた液体吐出装置が開示されている。なお、特許文献１及び２の液体吐出装置は、吐出部を有するキャリッジを往復移動方向に往復移動させて記録する構成である。
【先行技術文献】
【特許文献】
【０００３】
【特許文献１】特開２００４−２３７６９１号公報
【特許文献２】特開２０１４−１９５８８７号公報
【発明の概要】
【発明が解決しようとする課題】
【０００４】
媒体に液体を吐出する吐出部を有し往復移動方向に移動可能なキャリッジを備える液体吐出装置において、該キャリッジの移動領域に、該液体のミストが多く存在すると、媒体にミストが付着する場合や、吐出部にミストが付着して吐出精度が低下して該液体が吐出された媒体の品質（例えば記録品質）が低下する場合がある。  
ここで、特許文献１及び２の液体吐出装置は、インクを吐出部から吐出することに伴って発生するインクのミストを、キャリッジの移動領域から好適に移動させる（回収する）ことができるが、構成が複雑であった。
【０００５】
そこで、本発明の目的は、媒体に液体を吐出する吐出部を有し往復移動方向に移動可能なキャリッジの移動領域から、該液体が該吐出部から吐出されることに伴い発生するミストを、簡単な構成で、移動させることである。
【課題を解決するための手段】
【０００６】
上記課題を解決するための本発明の第１の態様の液体吐出装置は、媒体に液体を吐出する吐出部を有し、往復移動方向に移動可能なキャリッジと、前記キャリッジの移動領域を覆う筐体と、前記キャリッジの前記往復移動によって生じる気流を受け入れる気流受入室と、を備えることを特徴とする。
【０００７】
本発明の第２の態様の液体吐出装置は、前記第１の態様において、前記気流受入室は、前記往復移動方向に延設され、該往復移動方向の両端に前記気流の受入口を有することを特徴とする。
【０００８】
本発明の第３の態様の液体吐出装置は、前記第１又は第２の態様において、前記気流受入室は、前記液体が前記吐出部から吐出されることに伴い発生するミストを捕捉可能な捕捉部を有することを特徴とする。
【０００９】
本発明の第４の態様の液体吐出装置は、前記第３の態様において、前記捕捉部は、一部が前記気流受入室内部に固定され、前記気流により姿勢を変更可能なフィルターであることを特徴とする。
【００１０】
本発明の第５の態様の液体吐出装置は、前記第１から第４のいずれか１つの態様において、前記気流受入室は、排気可能に構成されていることを特徴とする。
【００１１】
本発明の第６の態様の液体吐出装置は、前記第１から第５のいずれか１つの態様において、前記気流受入室は、逆流防止部を有することを特徴とする。
【００１２】
本発明の第７の態様の液体吐出装置は、前記第６の態様において、前記キャリッジの前記往復移動における移動領域に、前記気流受入室とは別の経路から、気流を流入可能な気流流入部を備えることを特徴とする。
【発明の効果】
【００１３】
本発明によれば、媒体に液体を吐出する吐出部を有し往復移動方向に移動可能なキャリッジの移動領域から、該液体が該吐出部から吐出されることに伴い発生するミストを、簡単な構成で、移動させることができる。
【図面の簡単な説明】
【００１４】
【図１】本発明の実施例１の記録装置を表す概略斜視図。
【図２】本発明の実施例１の記録装置を表す概略斜視図。
【図３】本発明の実施例１の記録装置を表す概略側面断面図。
【図４】本発明の実施例１の記録装置のキャリッジを表す概略斜視図。
【図５】本発明の実施例１の記録装置のキャリッジを表す概略平面図。
【図６】本発明の実施例１の記録装置のキャリッジを表す概略正面図。
【図７】本発明の実施例１の記録装置のキャリッジを表す概略側面図。
【図８】本発明の実施例１の記録装置を表すブロック図。
【図９】本発明の実施例１の記録装置の記録機構を表す概略斜視図。
【図１０】本発明の実施例１の記録装置の記録機構を表す概略正面図。
【図１１】本発明の実施例２の記録装置の記録機構を表す概略正面図。
【図１２】本発明の実施例３の記録装置の記録機構を表す概略正面図。
【図１３】本発明の実施例４の記録装置の記録機構を表す概略正面図。
【発明を実施するための形態】
【００１５】
［実施例１］（図１〜図１０）  
以下に、本発明の液体吐出装置としての一実施例に係る記録装置について、添付図面を参照して詳細に説明する。  
最初に、本発明の実施例１に係る記録装置１の概要について説明する。  
図１及び図２は、本実施例の記録装置１の概略斜視図である。また、図３は本実施例の記録装置１の概略側面断面図である。なお、図２は、記録装置１の内部の説明が分かりやすいよう、筐体１２など、構成部材の一部を取り外した状態を表している。
【００１６】
本実施例の記録装置１は、粘着剤が付着された支持面で被記録媒体（媒体）を支持する粘着性ベルト２（無端ベルト）により被記録媒体を搬送方向Ａに搬送する搬送機構３を備えている。また、ロール状の被記録媒体をセット可能であり、該被記録媒体を搬送機構３に繰り出すことが可能な不図示の繰出部を備えている。また、搬送機構３による被記録媒体の搬送領域に、吐出部としての記録ヘッド７（図４参照）を備えたキャリッジ６を被記録媒体の搬送方向Ａと交差する往復移動方向Ｂに往復走査させて記録する記録機構４を備えている。さらに、記録機構４において記録がなされた被記録媒体を巻き取ることが可能な不図示の巻取機構を備えている。
【００１７】
本実施例の搬送機構３は、繰出部から繰り出された被記録媒体を載置して搬送する粘着性ベルト２と、粘着性ベルト２を移動させる駆動ローラー８と、従動ローラー９と、を備えている。被記録媒体は粘着性ベルト２の支持面に貼り付けられて載置される。  
ただし、搬送ベルトとしての無端ベルトは粘着性ベルトに限定されない。例えば、静電吸着式の無端ベルトを用いてもよい。  
なお、本実施例の記録装置１は、このような構成の搬送機構３を備えているが、このような構成の搬送機構に限定されず、被記録媒体を移動式の支持トレイなどに支持させて搬送する構成や、被記録媒体をローラー対などにより搬送させる構成などとしてもよい。さらには、被記録媒体を支持部に固定させ、固定された被記録媒体に対して記録ヘッド７を移動させて記録する、所謂フラッドベッドタイプの記録装置としてもよい。
【００１８】
記録機構４は、インク（液体）を吐出可能な記録ヘッド７を備えるキャリッジ６を往復移動方向Ｂに往復移動させるキャリッジモーター３０（図８参照）を有している。  
本実施例の記録装置１は、記録の際、記録ヘッド７を備えるキャリッジ６を往復走査させて記録するが、記録走査中（キャリッジ６の移動中）は、搬送機構３は被記録媒体の搬送を停止させる。別の表現をすると、記録の際、キャリッジ６の往復走査と被記録媒体の搬送は交互に行われる。すなわち、記録の際、キャリッジ６の往復走査に対応して、搬送機構３は被記録媒体を間欠搬送（粘着性ベルト２を間欠移動）させている。
【００１９】
なお、本実施例の記録装置１の骨格部を構成するパイプ１１ａには往復移動方向Ｂに延設されるレール１０ａが構成され、本実施例の記録装置１の骨格部を構成するパイプ１１ｂには往復移動方向Ｂに延設されるレール１０ｂが構成されている。そして、本実施例のキャリッジ６は、レール１０ａ及びレール１０ｂに不図示の軸受部が受けられることで、往復移動方向Ｂへの移動がレール１０ａ及びレール１０ｂにガイドされる。
【００２０】
また、図３で表されるように、本実施例の記録機構４は、筐体１２と壁部１６とにより、キャリッジ６の移動領域１８と、後述する気流受入室１３と、キャリッジ６にデータ及び信号を送信するためのケーブルなどを収容したケーブル収容部３６と、に仕切られている。そして、このような構成により、キャリッジ６の移動領域１８でインクが記録ヘッド７から吐出されることに伴い発生するミストを気流受入室１３に移動させることを可能にしているとともに、該ミストがケーブル収容部３６に侵入するのを抑制している。
【００２１】
次に、本実施例の記録装置１のキャリッジ６について説明する。  
図４から図７は、本実施例のキャリッジ６の概略図を表している。このうち、図４は本実施例のキャリッジ６の概略斜視図、図５は本実施例のキャリッジ６の概略平面図、図６は本実施例のキャリッジ６の概略正面図、図７は本実施例のキャリッジ６の概略側面図、を表している。  
なお、本実施例のキャリッジ６は複数の記録ヘッド７を有するサブキャリッジ５が複数（６つ）取り付けられるが、図４及び図５は、各サブキャリッジ５に設けられた複数の記録ヘッド７の配置がわかるように透視図となっている。
【００２２】
図５及び図６で表されるように、本実施例のキャリッジ６には、複数（６つ）のサブキャリッジ５を取り付け可能である。そして、図４及び図５で表されるように、各サブキャリッジ５には、複数の記録ヘッド７が互い違い（ｓｔａｇｇｅｒ）に配置されている。なお、各サブキャリッジ５には、複数の記録ヘッド７の他に、基板などが内部に構成されており、図６で表されるように、該基板を冷却するためのサブキャリッジファン２１が設けられている。  
サブキャリッジファン２１は、サブキャリッジ５の内部に気流を送る（送風する）ことで、サブキャリッジ５の内部の温度上昇を抑制するものなので、インクのミストがサブキャリッジファン２１の周辺にあると該ミストをサブキャリッジ５の内部に送ってしまい、基板などにミストを付着させる虞がある。  
このため、本実施例の記録装置１は、基板などへのミストの付着を抑制するために、上記のとおり、キャリッジ６の移動領域１８からミストを気流受入室１３に移動させることが可能な構成にしている。
【００２３】
また、記録ヘッド７から吐出されたインクのミストが上側に舞い上がり、該ミストがサブキャリッジ５に付着することを抑制するための枠状部３７が設けられている。枠状部３７は、記録ヘッド７に近くミストが多い領域に対して、ミストが舞い上がってくるのを抑制してサブキャリッジ５の上側の領域をミストの少ない領域に保つセパレーターの役割をしている。  
さらに、往復移動方向Ｂにおける枠状部３７の外側に、キャリッジファン２０が設けられた気流発生部３８ａ及び３８ｂが設けられている。別の表現をすると、往復移動方向Ｂにおける枠状部３７の外側に設けられた気流発生部３８ａ及び３８ｂには、搬送方向Ａの下流側に設けられた開口部３９付近に、搬送方向Ａの上流側の開口部４０に向かって気流を発生させるキャリッジファン２０が設けられている。  
ここで、本実施例のキャリッジ６は、制御部２３の制御により、記録中（キャリッジ６を往復移動方向Ｂに移動させつつ記録ヘッド７からインクを吐出させている最中）、キャリッジファン２０を駆動させ、キャリッジ６の移動領域１８における往復移動方向Ｂから見て記録ヘッド７と重ならない位置（搬送方向Ａの上流側）にミストを移動させることができる。  
このように本実施例のキャリッジ６は、枠状部３７、気流発生部３８ａ及び３８ｂが設けられていることで、特にミストの影響を受けにくい構成になっている。しかしながら、本発明は、このような構成のキャリッジを備える記録装置に限定されない。
【００２４】
次に、本実施例の記録装置１における電気的な構成について説明する。  
図８は、本実施例の記録装置１のブロック図である。  
制御部２３には、記録装置１の全体の制御を司るＣＰＵ２４が設けられている。ＣＰＵ２４は、システムバス２５を介して、ＣＰＵ２４が実行する各種制御プログラム等を格納したＲＯＭ２６と、データを一時的に格納可能なＲＡＭ２７と接続されている。
【００２５】
また、ＣＰＵ２４は、システムバス２５を介して、記録ヘッド７を駆動するためのヘッド駆動部２８と接続されている。  
また、ＣＰＵ２４は、システムバス２５を介して、キャリッジモーター３０、搬送モーター３１、繰出モーター３２、巻取モーター３３、キャリッジファンモーター１９及びサブキャリッジファンモーター２２を駆動させるためのモーター駆動部２９と接続されている。  
ここで、キャリッジモーター３０は、記録ヘッド７を備えたキャリッジ６を移動させるためのモーターである。また、搬送モーター３１は、駆動ローラー８を駆動するためのモーターである。また、繰出モーター３２は、不図示の繰出部にセットされた被記録媒体を搬送機構３に送り出すための繰出部の駆動モーターである。また、巻取モーター３３は、記録がなされた被記録媒体を巻き取るために不図示の巻取機構を駆動させるための駆動モーターである。また、キャリッジファンモーター１９は、キャリッジファン２０を駆動するためのモーターである。そして、サブキャリッジファンモーター２２は、サブキャリッジファン２１を駆動するためのモーターである。  
さらに、ＣＰＵ２４は、システムバス２５を介して、入出力部３４と接続されており、入出力部３４は、記録データ等のデータ及び信号の送受信を行うためのＰＣ３５と接続されている。
【００２６】
次に、本実施例の記録装置１の要部である気流受入室１３について説明する。  
ここで、図９は、本実施例の記録装置１の記録機構４の一部であるキャリッジ６の移動領域１８及び気流受入室１３を表す概略斜視図である。また、図１０は、本実施例の記録装置１の記録機構４の一部であるキャリッジ６の移動領域１８及び気流受入室１３を表す概略正面図である。なお、図１０のうち、図１０（Ａ）はキャリッジ６が往復移動方向Ｂのうちの方向Ｂ１に移動する際のキャリッジ６の移動領域１８及び気流受入室１３における気流Ｗ１を合わせて表す図であり、図１０（Ｂ）はキャリッジ６が往復移動方向Ｂのうちの方向Ｂ２に移動する際のキャリッジ６の移動領域１８及び気流受入室１３における気流Ｗ２を合わせて表す図である。
【００２７】
図９で表されるように、本実施例のキャリッジ６は、該キャリッジ６の移動領域１８において、ポジションＰ１からポジションＰ２までの該キャリッジ６の移動範囲Ｒ１を、往復方向Ｂに移動可能である。そして、本実施例の記録装置１は、キャリッジ６の移動領域１８を覆う筐体１２を備えており、図１０（Ａ）で表されるように、キャリッジ６が方向Ｂ１に移動することによってキャリッジ６の移動領域１８から押し出される気流Ｗ１を受け入れ可能な気流受入室１３を備えている。なお、気流受入室１３は、図１０（Ｂ）で表されるように、キャリッジ６が方向Ｂ２に移動することによってキャリッジ６の移動領域１８から押し出される気流Ｗ２も受け入れ可能である。  
すなわち、本実施例の記録装置１は、被記録媒体にインクを吐出する記録ヘッド７を有し往復移動方向Ｂに移動可能なキャリッジ６と、キャリッジ６の往復移動によって生じる気流Ｗ１及びＷ２を受け入れる気流受入室１３と、を備えている。  
このため、本実施例の記録装置１は、このような構成、すなわち、気流受入室１３を備えるという簡単な構成で、キャリッジ６の往復移動によって生じる気流Ｗ１及びＷ２を利用して、インクが記録ヘッド７から吐出されることに伴い発生するミストを、キャリッジ６の移動領域１８から移動させることができる。  
なお、「キャリッジ６の移動領域１８を覆う」とは、本実施例の記録装置１のように、少なくともキャリッジ６の移動領域１８を覆っていれば他の部分も含めて覆っていてもよく、密閉状態で覆っていることは要しない意味である。
【００２８】
また、図１０（Ａ）及び（Ｂ）で表されるように、本実施例の気流受入室１３は、往復移動方向Ｂに延設されており、該往復移動方向Ｂの両端に気流Ｗ１及びＷ２の受入口４９を有している。すなわち、本実施例の気流受入室１３は、このような構成により、該往復移動方向Ｂにおける両方の移動方向Ｂ１及びＢ２において、該両端の受入口４９から気流Ｗ１及びＷ２を受け入れることができる構成になっている。このため、効率的に、インクが記録ヘッド７から吐出されることに伴い発生するミストを、キャリッジ６の移動領域１８から移動させることができる。
【００２９】
また、図９及び図１０で表されるように、本実施例の気流受入室１３は、往復移動方向Ｂにおける両端の受入口４９の近傍に、インクが記録ヘッド７から吐出されることに伴い発生するミストを捕捉可能な捕捉部１７を有している。このため、キャリッジ６の移動領域１８から移動させたミストを該捕捉部１７により捕捉し回収することができる構成になっている。  
なお、本実施例の捕捉部１７は、気流を透過しミストを捕捉可能なフィルターであって気流受入室１３に固定するタイプのフィルターで構成されているが、ミストを捕捉可能であれば捕捉部１７の構成に特に限定はない。なお、ここでのフィルターは、付着した液体を吸収可能な吸収部材である。
【００３０】
［実施例２］（図１１）  
次に、本発明の実施例２に係る記録装置について説明する。  
図１１は本発明の実施例２に係る記録装置１の記録機構４を表す概略斜視図であり、図１１（Ａ）は実施例１の記録装置１の記録機構４を表す図１０（Ａ）に対応し、図１１（Ｂ）は実施例１の記録装置１の記録機構４を表す図１０（Ｂ）に対応している。  
なお、上記実施例１と共通する構成部材は同じ符号で示しており、詳細な説明は省略する。  
本実施例の記録装置１は、本実施例の記録装置１の要部である気流受入室１３の構成のみが実施例１の記録装置１と相違する。
【００３１】
図１０で表されるように、実施例１の気流受入室１３は、気流受入室１３に固定するタイプのフィルターで捕捉部１７を構成していた。  
一方、本実施例の気流受入室１３は、図１１で表されるように、一部（上部）が気流受入室１３内部に固定されて気流受入室１３内部にぶら下がった複数の可撓性のフィルター（吸収部材）で構成されている。このため、本実施例の捕捉部１７は、気流Ｗ１及びＷ２により姿勢を変更可能であり、気流受入室１３内部においてキャリッジ６の往復移動によって生じる気流Ｗ１及びＷ２を遮断することがない。すなわち、本実施例の記録装置１は、キャリッジ６の移動領域１８からミストを有する気流Ｗ１及びＷ２を気流受入室１３において効率的に受け入れ、気流受入室１３内部でミストを捕捉し回収することができる構成になっている。  
なお、本実施例の気流受入室１３は、往復移動方向Ｂの両端部分に複数の可撓性のフィルターを有する構成であるが、このような構成に限定されず、気流受入室１３内部全体に可撓性のフィルターが設けられる構成であってもよく、例えば、往復移動方向Ｂの中央部分が両端部分よりも高密度で可撓性のフィルターが設けられる構成であってもよい。
【００３２】
［実施例３］（図１２）  
次に、本発明の実施例３に係る記録装置について説明する。  
図１２は本発明の実施例３に係る記録装置１の記録機構４を表す概略斜視図であり、図１２（Ａ）は実施例１の記録装置１の記録機構４を表す図１０（Ａ）に対応し、図１２（Ｂ）は実施例１の記録装置１の記録機構４を表す図１０（Ｂ）に対応している。  
なお、上記実施例１及び２と共通する構成部材は同じ符号で示しており、詳細な説明は省略する。  
本実施例の記録装置１は、本実施例の記録装置１の要部である気流受入室１３の構成のみが実施例１及び２の記録装置１と相違する。
【００３３】
図１０で表されるように、実施例１の気流受入室１３は、往復移動方向Ｂの一方の端部から気流Ｗ１及びＷ２を流入するとともに、往復移動方向Ｂの他方の端部から気流Ｗ１及びＷ２を流出させることが可能な構成であった。  
一方、本実施例の気流受入室１３は、図１２で表されるように、記録装置１の外部につながるダクト４１と接続され、該ダクト４１を介して気流Ｗ１及びＷ２を排気可能に構成されている。なお、このことのみが実施例１の記録装置１と相違している。このため、キャリッジ６が移動することによってキャリッジ６の移動領域１８から押し出される気流Ｗ１及びＷ２を受け入れやすくなっており、気流受入室１３内にキャリッジ６の往復移動によって生じる気流Ｗ１及びＷ２を効率的に受け入れることができる構成になっている。
【００３４】
［実施例４］（図１３）  
次に、本発明の実施例４に係る記録装置について説明する。  
図１３は本発明の実施例３に係る記録装置１の記録機構４を表す概略斜視図であり、図１３（Ａ）は実施例１の記録装置１の記録機構４を表す図１０（Ａ）に対応し、図１３（Ｂ）は実施例１の記録装置１の記録機構４を表す図１０（Ｂ）に対応している。  
なお、上記実施例１から３と共通する構成部材は同じ符号で示しており、詳細な説明は省略する。  
本実施例の記録装置１は、本実施例の記録装置１の要部である気流受入室１３の構成及び筐体１２の一部の構成のみが実施例１から３の記録装置１と相違する。
【００３５】
図１０で表されるように、実施例１から３の気流受入室１３は、インクが記録ヘッド７から吐出されることに伴い発生するミストを捕捉可能な捕捉部１７を有している構成であった。  
一方、本実施例の気流受入室１３は、図１３で表されるように、捕捉部１７の代わりに、逆流防止部４２を有している。このため、気流受入室１３からキャリッジ６の移動領域１８にミストを有する気流Ｗ１及びＷ２が逆流することを抑制できる構成になっている。  
なお、本実施例の逆流防止部４２は、搬送方向Ａに沿う方向の回動軸４３と、回動軸４３を基準に回転方向Ｃに回動可能な蓋部４４と、気流受入室１３の内側から外側に向かう方向の蓋部４４の回動を規制する規制部４５と、を有している。そして、蓋部４４が気流受入室１３の内側に回動することで気流Ｗ１及びＷ２が気流受入室１３内部に流入し、蓋部４４が規制部４５に規制されることで気流Ｗ１及びＷ２が気流受入室１３外部に流出することが抑制される構成になっている。しかしながら、逆流防止部４２の構成に特に限定はない。また、当然、気流受入室１３の内部に捕捉部１７を備えていてもよい。
【００３６】
また、本実施例の記録装置１の筐体１２におけるキャリッジ６の移動領域１８には、気流受入室１３とは別の経路であって、気流Ｗ３及びＷ４を流入可能な気流流入部４６を備えている。すなわち、本実施例の記録装置１は、気流流入部４６、キャリッジ６の移動領域１８、気流受入室１３の順となる方向に気流Ｗ１からＷ４を生じさせることができる構成になっている。このため、本実施例の記録装置１は、効率的に、インクが記録ヘッド７から吐出されることに伴い発生するミストを、キャリッジ６の移動領域１８から移動させることができる構成になっている。  
なお、本実施例の気流流入部４６は、搬送方向Ａに沿う方向の回動軸４７と回動軸４７を基準に回転方向Ｃに回動可能な蓋部４８とを有し、筐体１２の一部により気流流入部４６の内側から外側に向かう方向の蓋部４８の回動が規制される構成になっている。そして、蓋部４８が気流流入部４６の内側に回動することで気流Ｗ３及びＷ４が気流流入部４６内部に流入し、蓋部４８が筐体１２の一部により規制されることで気流Ｗ３及びＷ４が気流流入部４６外部に流出することが抑制される構成になっている。しかしながら、気流流入部４６の構成に特に限定はない。
【００３７】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００３８】
本発明の第１の態様の液体吐出装置１は、媒体に液体を吐出する吐出部７を有し、往復移動方向Ｂに移動可能なキャリッジ６と、キャリッジ６の移動領域１８を覆う筐体１２と、キャリッジ６の前記往復移動によって生じる気流Ｗ１及びＷ２を受け入れる気流受入室１３と、を備えることを特徴とする。
【００３９】
本態様によれば、キャリッジ６の往復移動によって生じる気流Ｗ１及びＷ２を受け入れる気流受入室１３を備える。このため、気流受入室１３を備えるという簡単な構成で、キャリッジ６の往復移動によって生じる気流Ｗ１及びＷ２を利用して、該液体が該吐出部７から吐出されることに伴い発生するミストを、キャリッジ６の移動領域１８から移動させることができる。  
なお、「キャリッジ６の移動領域１８を覆う」とは、少なくともキャリッジ６の移動領域１８を覆っていれば他の部分も含めて覆っていてもよく、密閉状態で覆っていることは要しない意味である。
【００４０】
本発明の第２の態様の液体吐出装置１は、前記第１の態様において、気流受入室１３は、往復移動方向Ｂに延設され、該往復移動方向Ｂの両端に気流Ｗ１及びＷ２の受入口４９を有することを特徴とする。
【００４１】
本態様によれば、気流受入室１３は、往復移動方向Ｂに延設され、該往復移動方向Ｂの両端に気流Ｗ１及びＷ２の受入口４９を有する。すなわち、該往復移動方向Ｂにおける両方の移動方向Ｂ１及びＢ２において、該両端の受入口４９から気流Ｗ１及びＷ２を受け入れることができる。このため、効率的に、液体が吐出部７から吐出されることに伴い発生するミストを、キャリッジ６の移動領域１８から移動させることができる。
【００４２】
本発明の第３の態様の液体吐出装置１は、前記第１又は第２の態様において、気流受入室１３は、前記液体が吐出部７から吐出されることに伴い発生するミストを捕捉可能な捕捉部１７を有することを特徴とする。
【００４３】
本態様によれば、気流受入室１３は、液体が吐出部７から吐出されることに伴い発生するミストを捕捉可能な捕捉部１７を有する。このため、キャリッジ６の移動領域１８から移動させたミストを該捕捉部１７により捕捉し回収することができる。
【００４４】
本発明の第４の態様の液体吐出装置１は、前記第３の態様において、捕捉部１７は、一部が気流受入室１３内部に固定され、気流Ｗ１及びＷ２により姿勢を変更可能なフィルターであることを特徴とする。
【００４５】
本態様によれば、捕捉部１７は、一部が気流受入室１３内部に固定され、気流Ｗ１及びＷ２により姿勢を変更可能なフィルターである。このため、気流受入室１３内部においてキャリッジ６の往復移動によって生じる気流Ｗ１及びＷ２を遮断することなく、すなわち、キャリッジ６の移動領域１８からミストを有する気流Ｗ１及びＷ２を気流受入室１３において効率的に受け入れ、気流受入室１３内部でミストを捕捉し回収することができる。
【００４６】
本発明の第５の態様の液体吐出装置１は、前記第１から第４のいずれか１つの態様において、気流受入室１３は、排気可能に構成されていることを特徴とする。
【００４７】
本態様によれば、気流受入室１３は排気可能に構成されている。このため、気流受入室１３内にキャリッジ６の往復移動によって生じる気流Ｗ１及びＷ２を効率的に受け入れることができる。
【００４８】
本発明の第６の態様の液体吐出装置１は、前記第１から第５のいずれか１つの態様において、気流受入室１３は、逆流防止部４２を有することを特徴とする。
【００４９】
本態様によれば、気流受入室１３は逆流防止部４２を有する。このため、気流受入室１３からキャリッジ６の移動領域１８にミストを有する気流Ｗ１及びＷ２が逆流することを抑制できる。
【００５０】
本発明の第７の態様の液体吐出装置１は、前記第６の態様において、キャリッジ６の前記往復移動における移動領域１８に、気流受入室１３とは別の経路から、気流を流入可能な気流流入部４６を備えることを特徴とする。
【００５１】
本態様によれば、キャリッジ６の往復移動における移動領域１８に、気流受入室１３とは別の経路から、気流Ｗ３及びＷ４を流入可能な気流流入部４６を備える。すなわち、気流流入部４６、キャリッジの移動領域１８、気流受入室１３の順となる方向に気流Ｗ１からＷ４を生じさせることができる。このため、効率的に、液体が吐出部７から吐出されることに伴い発生するミストを、キャリッジ６の移動領域１８から移動させることができる。
【符号の説明】
【００５２】
１  記録装置（液体吐出装置）、２  粘着性ベルト、３  搬送機構、４  記録機構、
５  サブキャリッジ、６  キャリッジ、７  記録ヘッド（吐出部）、８  駆動ローラー、
９  従動ローラー、１０ａ、１０ｂ  レール、１１ａ、１１ｂ  パイプ、１２  筐体、
１３  気流受入室、１６  壁部、１７  捕捉部、１８  キャリッジ６の移動領域、
１９  キャリッジファンモーター、２０  キャリッジファン、
２１  サブキャリッジファン、２２  サブキャリッジファンモーター、２３  制御部、
２４  ＣＰＵ、２５  システムバス、２６  ＲＯＭ、２７  ＲＡＭ、
２８  ヘッド駆動部、２９  モーター駆動部、３０  キャリッジモーター、
３１搬送モーター、３２  繰出モーター、３３  巻取モーター、３４  入出力部、
３５  ＰＣ、３６  ケーブル収容部、３７  枠状部、３８ａ、３８ｂ  気流発生部、
３９  開口部、４０  開口部、４１  ダクト、４２  逆流防止部、４３  回動軸、
４４  蓋部、４５  規制部、４６  気流流入部、４７  回動軸、４８  蓋部、
４９  受入口、Ｐ１  キャリッジ６のポジション、Ｐ２  キャリッジ６のポジション、
Ｒ１  キャリッジ６の移動範囲、Ｗ１、Ｗ２、Ｗ３、Ｗ４  気流
【図１】
0006551653.tif 000002
【図２】
0006551653.tif 000003
【図３】
0006551653.tif 000004
【図４】
0006551653.tif 000005
【図５】
0006551653.tif 000006
【図６】
0006551653.tif 000007
【図７】
0006551653.tif 000008
【図８】
0006551653.tif 000009
【図９】
0006551653.tif 000010
【図１０】
0006551653.tif 000011
【図１１】
0006551653.tif 000012
【図１２】
0006551653.tif 000013
【図１３】
0006551653.tif 000014